(57)【要約】【課題】視聴環境に応じたタイミングと方法で字幕を表示できるデジタル放送受信装置を提供する。【解決手段】受信したコンテンツを再生提示するデジタル放送受信装置（１）において、字幕生成部（２）はコンテンツ（Ｓａ）に関する字幕情報（Ｄｓ）を生成し、字幕情報記憶部（１１）字幕情報（Ｄｓ）を蓄積し、騒音検知部（７）は周囲の騒音レベル（ＮＬ）を検出し、騒音レベル（ＮＬ）が騒音閾値（Ｎｔｈ）以上である時には字幕生成部（１２）は字幕情報蓄積部（１１）から所定時間（−Ｔ１）前に蓄積された字幕情報（Ｄｓ（―Ｔ１＜ｔ≦Ｔ０））を読み出し、字幕生成部（１２）は読み出された字幕情報（Ｄｓ（―Ｔ１＜ｔ≦Ｔ０））に基づいて、字幕信号（Ｓｓ（―Ｔ１＜ｔ≦Ｔ０））を生成する。【選択図】図１
2008252746.tif 000002
【特許請求の範囲】
【請求項１】
デジタルテレビジョン放送を受信して、少なくとも音声で構成されるコンテンツを再生提示するデジタル放送受信装置であって、
前記コンテンツに関する字幕情報を生成する字幕情報生成手段と、
前記字幕情報を蓄積する字幕情報蓄積手段と、
前記コンテンツの再生環境が所定条件を満たしているか否かを判定する再生環境判定手段と、
前記再生環境が所定条件を満さないと判定された時には、前記字幕情報蓄積手段から第  １の所定時間前に蓄積された字幕情報を読み出す字幕情報読み出し手段と、
前記読み出された字幕情報に基づいて、第１の字幕信号を生成する字幕信号生成手段を備えるデジタル放送受信装置。
【請求項２】
前記字幕信号生成手段は、さらに再生環境が所定条件を満さないと判定された時の字幕情報に基づいて、第２の字幕信号を生成することを特徴とする請求項１に記載のデジタル放送受信装置。
【請求項３】
前記字幕信号生成手段は、さらに前記再生環境が所定条件を満たすと判定された時の字幕情報に基づいて、第３の字幕信号を生成することを特徴とする請求項２に記載のデジタル放送受信装置。
【請求項４】
前記字幕信号生成手段は前記第２の字幕信号に強調処理を施す字幕強調処理手段を備える請求項１に記載のデジタル放送受信装置。
【請求項５】
前記字幕強調処理手段は、字幕文字の大きさ、色、彩度、コントラスト、およびフォントの少なくとも１つを変化させることを特徴とする請求項４に記載のデジタル放送受信装置。
【請求項６】
前記字幕強調処理手段は時間の経過に応じて前記字幕文字を変化させることを特徴とする請求項５に記載のデジタル放送受信装置。
【請求項７】
前記再生環境判定手段は、
周囲の音声のレベルを検出する騒音検出手段と、
前記レベルを所定の閾値と比較するレベル値比較手段とを備える請求項１に記載のデジタル放送受信装置。
【請求項８】
前記閾値を変更する閾値変更手段をさらに備える請求項７に記載のデジタル放送受信装置。
【発明の詳細な説明】
【技術分野】
【０００１】
本発明は、ストリーミングデータを受信してコンテンツ再生するデジタル放送受信装置に関し、さらに詳述すれば、再生環境に応じて字幕表示を行うデジタル放送受信装置に関する。
【背景技術】
【０００２】
周囲の騒音が大きかったり再生音声が小さかったりして視聴困難な状況下でのテレビジョン放送やビデオなどのコンテンツ再生表示時に、字幕表示を自動的に制御する技術（特許文献１）が提案されている。
【特許文献１】特開２００５−０６４５９９号公報
【発明の開示】
【発明が解決しようとする課題】
【０００３】
しかしながら、上述の方法では、視聴困難な状況を検知して字幕表示が開始された時には、視聴者に字幕を見せたいシーンは既に終わっており、視聴者に見せたいのとは異なる字幕が表示されてしまう。つまり、視聴者が音声を聞き逃したシーンとは別のシーンの字幕が表示されるので、視聴は聞き逃したシーンの字幕を見ることができない。つまり、視聴者が必要とする字幕を実際に見る時には、その字幕のシーンは既に過ぎ去っている。
【０００４】
これは、字幕表示の必要性が認識された後に、必要と認識された字幕が表示されることに起因しており、字幕表示されても視聴者はすでに対応するシーンを見逃し／聞き逃している。そのために、視聴者は表示された字幕をみても、見逃したシーンをよく理解できない。この観点からは、視聴困難なシーンに対する字幕が適正なタイミングと方法で視聴者に表示されるデジタル放送受信装置が必要とされる。
【０００５】
しかしながら、一概に視聴困難と言っても人によって状況は異なる。よって、本発明は、視聴環境に応じたタイミングと方法で字幕を表示できるデジタル放送受信装置を提供することを目的とする。
【課題を解決するための手段】
【０００６】
上述の目的を達成するために本発明は、コンテンツ配信システムデジタルテレビジョン放送を受信して、少なくとも音声で構成されるコンテンツを再生提示するデジタル放送受信装置であって、
前記コンテンツに関する字幕情報を生成する字幕情報生成手段と、
前記字幕情報を蓄積する字幕情報蓄積手段と、
前記コンテンツの再生環境が所定条件を満たしているか否かを判定する再生環境判定手段と、
前記再生環境が所定条件を満さないと判定された時には、前記字幕情報蓄積手段から第１の所定時間前に蓄積された字幕情報を読み出す字幕情報読み出し手段と、
前記読み出された字幕情報に基づいて、第１の字幕信号を生成する字幕信号生成手段を備える。
【０００７】
前記字幕信号生成手段は、さらに再生環境が所定条件を満さないと判定された時の字幕情報に基づいて、第２の字幕信号を生成することが望ましい。
【０００８】
前記字幕信号生成手段は、さらに前記再生環境が所定条件を満たすと判定された時の字幕情報に基づいて、第３の字幕信号を生成することが望ましい。
【０００９】
前記字幕信号生成手段は前記第２の字幕信号に強調処理を施す字幕強調処理手段を備えることが望ましい。
【００１０】
前記字幕強調処理手段は、字幕文字の大きさ、色、彩度、コントラスト、およびフォントの少なくとも１つを変化させることが望ましい。
【００１１】
前記字幕強調処理手段は時間の経過に応じて前記字幕文字を変化させることを特徴とすることが望ましい。
【００１２】
前記再生環境判定手段は、
周囲の音声のレベルを検出する騒音検出手段と、
前記レベルを所定の閾値と比較するレベル値比較手段とを備えることが望ましい。
【００１３】
本発明にかかるデジタル放送受信装置は、前記閾値を変更する閾値変更手段をさらに備えることが望ましい。
【発明の効果】
【００１４】
ユーザが必要とする視聴状況下で字幕を所望の方法で表示することによって、ユーザの視聴を補助できる。
【発明を実施するための最良の形態】
【００１５】
本発明にかかるデジタル放送受信装置は、ユーザにとって適正なタイミングと方法で字幕を表示できるために、ユーザが事前あるいは逐次に指示する条件が字幕表示のトリガとして用いられる。本実施の形態においては、そのようなトリガの具体例の一つとして、ユーザの於かれている視聴環境下での騒音レベルを利用するデジタル放送受信装置について、図１、図２、図３、図４、図５、図６および図７を参照して具体的に説明する。なお、字幕の自動表示のトリガとしては、騒音レベル以外にユーザによる事前あるいは逐次の直接指示などを用いて構成できることは言うまでもない。
【００１６】
図１に示すように、デジタル放送受信装置１は、アンテナ部２、マイク部３、受信部４、復調部５、デコード部６、騒音検知部７、制御部８、入力部９、映像切替部１０、字幕情報記憶部１１、字幕生成部１２、映像合成部１３、および出力部１４を含む。
【００１７】
アンテナ部２は、放送局などのコンテンツ源から発信されるデジタルテレビジョン放送波を受信する。マイク部３はデジタル放送受信装置１の周囲の音声を音声信号に変換する。入力部９は、ユーザからの操作を受け付けるためのインターフェースであり、たとえば、リモコンやキーボードなどで構成される。ユーザの操作は入力部９により電気信号化されて、制御部８に入力される。なお、本発明においては、字幕の自動表示に対するトリガとなる騒音の閾値（以降、「騒音閾値Ｎｔｈ」）が、ユーザの操作に応答して生成される指示信号Ｓｏによって、デジタル放送受信装置１（制御部８）に対して設定指示される。
【００１８】
制御部８は、デジタル放送受信機１の各構成要素を制御する手段であり、好ましくはマイクロコンピュータで構成される。より具体的に言えば、制御部８は入力部９から入力されるユーザの操作（指示）を反映した操作指示信号Ｓｏに基づいて、デジタル放送受信装置１の機能を制御する。
【００１９】
受信部４は、アンテナ部２を介して受信したデジタルテレビジョン放送Ｗｂより、ユーザが所望する伝送チャンネルの重畳されている放送信号Ｓｂを抽出する。復調部５は受信部４から出力される放送信号Ｓｂを復調してＭＰＥＧ−２トランスポートストリーム（以降、「トランスポートストリーム」）ＴＳを出力する。デジタルテレビジョン放送においては、トランスポートストリームＴＳを変調して放送することは周知である。
【００２０】
デコーダ６は、トランスポートストリームＴＳからユーザの所望する番組の映像・音声のストリームを抽出し、復号を行った後に、アナログＹ／Ｐｂ／Ｐｒの映像信号ＳｖとアナログＬ／Ｒの音声信号Ｓａを出力する。映像信号Ｓｖは映像切替部１０に入力され、音声信号Ｓａは字幕生成部１２および出力部１４に入力される。
【００２１】
映像切替部１０は、制御部８から入力される映像制御信号Ｓｃｖによって制御されて、メッセージ信号Ｓｍおよびデコード部６から入力される映像信号Ｓｖを映像合成部１３に出力する。メッセージ信号Ｓｍとは、上述のモニタの画面上に表示されるメッセージの画像を表す信号である。なお、メッセージ信号Ｓｍが表すメッセージの内容、表示位置、大きさ、色および表示方法も映像制御信号Ｓｃｖに基づいて決定される。つまり、メッセージ信号Ｓｍ自身に表示方法の情報も含まれている。
【００２２】
字幕生成部１２は、制御部８から入力される字幕表示制御信号Ｓｃｓによって制御されて、デコード部６から入力される音声信号Ｓａに基づいて、内蔵する字幕生成回路（不図示）によって対応シーンにおいて字幕として表現すべき情報（以降、「字幕情報」）Ｄｓを生成する。なお、字幕情報Ｄｓは音声信号Ｓａに基づいて字幕生成部１２で生成する代わりに、放送信号Ｓｂに重畳されている情報を使用してもよい。字幕情報記憶部１１は、字幕情報Ｄｓを格納すると共に、字幕生成部１２と字幕情報Ｄｓが入出力可能に接続されている。
【００２３】
字幕生成部１２は、リアルタイムに生成された字幕情報Ｄｓあるいは字幕情報記憶部１１から供給される過去に生成された字幕情報Ｄｓに基づいて、字幕の映像信号（以降、「字幕映像信号」）Ｓｓを生成して映像合成部１３に出力する。字幕生成部１２による字幕情報Ｄｓと字幕映像信号Ｓｓとの生成、字幕生成部１２から映像合成部１３への字幕映像信号Ｓｓの出力、および字幕情報記憶部１１による字幕情報Ｄｓの蓄積は、字幕表示制御信号Ｓｃｓによって制御される。
【００２４】
なお、字幕映像信号Ｓｓの映像合成部１３による合成方法（つまり、字幕映像信号Ｓｓが表す字幕の内容、表示位置、大きさ、および色に代表される表示方法）も字幕表示制御信号Ｓｃｓに基づいて決定される。つまり、字幕映像信号Ｓｓ自身に合成方法の情報も含まれている。
【００２５】
映像合成部１３は、主に３つの機能を有している。第１の機能は映像切替部１０から入力される映像信号Ｓｖをそのまま出力部１４に出力することである。第２の機能は映像信号Ｓｖに字幕映像信号Ｓｓを合成して字幕合成映像信号Ｓｖｓを生成し、同字幕合成映像信号Ｓｖｓを出力部１４に出力することである。第３の機能は、字幕合成映像信号Ｓｖｓにメッセージ信号Ｓｍを合成してメッセージ字幕合成信号Ｓｖｍを生成し、同メッセージ字幕合成信号Ｓｖｍを１４に出力することである。
【００２６】
映像合成部１３は、デジタル放送受信装置１が現在受信して音声信号Ｓａの字幕情報Ｄｓに基づく字幕映像信号Ｓｓばかりでなく、字幕情報記憶部１１に蓄積されている過去の字幕情報Ｄｓに基づく字幕映像信号Ｓｓを映像信号Ｓｖに合成する。映像合成部１３からの出力される信号については、後ほど図２〜図６を参照して詳述する。
【００２７】
騒音検出部７は、マイク部３から入力される音声信号Ｓａｃに基づいて、ユーザ（デジタル放送受信装置１）の周囲の騒音レベルＮＬを検知して制御部８に出力する。制御部８は、騒音レベルＮＬを入力騒音閾値Ｎｔｈと比較して、デジタル放送受信装置１における字幕表示機能をＯＮ／ＯＦＦすると共に、字幕の表示（合成）方法、およびメッセージの表示のＯＮ／ＯＦＦおよび表示（合成）方法を決定する。なお、字幕表示機能のＯＮ／ＯＦＦは、周囲の騒音レベルＮＬに基づく変わりに、再生中の番組内の音声レベルに基づいて決定してもよい。
【００２８】
さらに制御部８は、同決定に基づいて映像制御信号Ｓｃｖおよび字幕表示制御信号Ｓｃｓを生成する。なお、映像制御信号Ｓｃｖおよび字幕表示制御信号Ｓｃｓの内容および生成は、ユーザが入力部９を介して直接デジタル放送受信装置１に指示してもよい。つまり、ユーザが字幕およびメッセージの表示方法を一意に決定し、決定内容を入力部９を介してデジタル放送受信装置１に直接指示してもよい。
【００２９】
次に、図２、図３、および図４を参照して、上述の映像合成部１３から出力される映像信号Ｓｖ、字幕合成映像信号Ｓｖｓ、およびメッセージ字幕合成信号Ｓｖｍに基づいて、モニタ（不図示）によって表示されるモニタ画像Ｉｖについて説明する。図２および図３においては、映像信号Ｓｖに基づく受信画像Ｉｖの内容が時間の経過と共に変化する様子が○、△、および□で表現されている。
【００３０】
図２に、上段から順番に、時刻ｔがＴ０以前（ｔ≦Ｔ０）、時刻ｔがＴ０以降かつＴ２以前（Ｔ０＜ｔ＜Ｔ２）、および時刻ｔがＴ２以降におけるモニタ画像Ｉｖｓ（ｔ≦Ｔ０）、モニタ画像Ｉｖｓ（Ｔ２＞ｔ＞Ｔ０）、およびモニタ画像Ｉｖｓ（ｔ≧Ｔ２）が表されている。本例においては、時刻Ｔ０に、制御部８で音声信号Ｓａｃの騒音レベルＮＬが騒音閾値Ｎｔｈ以上であると判断されて字幕表示がＯＮにされる。以降、音声信号Ｓａｃの騒音レベルＮＬは騒音閾値Ｎｔｈ以上と判断され続ける。そして、時刻Ｔ２に騒音レベルＮＬが騒音閾値Ｎｔｈ以下であると判断されて、字幕表示がＯＦＦの字幕表示がＯＦＦにされる。
【００３１】
つまり、字幕は時刻Ｔ０＜ｔ＜Ｔ２の期間中に表示されている。具体的には、時刻Ｔ０以前（ｔ≦Ｔ０）には、受信画像Ｉｖ（ｔ≦Ｔ０）に字幕画像も何も多重されずに、モニタ画像Ｉｖｓ（ｔ＝Ｔ０）として表示される。時刻Ｔ０＜ｔ＜２においては、受信画像Ｉｖ（Ｔ０＜ｔ＜Ｔ２）の下部に、同受信画像に対応する字幕画像Ｉｓ（Ｔ０＜ｔ＜Ｔ２）が多重されて、モニタ画像Ｉｖｓ（Ｔ０＜ｔ＜Ｔ２）として表示される。そして、時刻Ｔ２以降（ｔ≧Ｔ２）においては、時刻Ｔ０以前（ｔ≦Ｔ０）におけるとの同様に、受信画像Ｉｖ（ｔ≧Ｔ２）に字幕画像も何も多重されずに、モニタ画像Ｉｖｓ（ｔ≧Ｔ２）として表示される。
【００３２】
図３に、上段から順番に、時刻ｔがＴ１以前（−Ｔ１＞ｔ）、時刻ｔがＴ１以降かつＴ０以前（−Ｔ１＜ｔ≦Ｔ０）、時刻ｔがＴ０以降かつＴ２以前（Ｔ０＜ｔ＜Ｔ２）、および時刻ｔがＴ２以降（ｔ≧Ｔ２）におけるモニタ画像Ｉｖｓ（−Ｔ１＞ｔ）、モニタ画像Ｉｖｓ（−Ｔ１＜ｔ≦Ｔ０）、モニタ画像Ｉｖｓ（Ｔ０＜ｔ＜Ｔ２）、およびモニタ画像Ｉｖｓ（ｔ≧Ｔ２）が表されている。なお、本例においても各時刻における受信画像Ｉｖ（ｔ）は、図２に示したものと同じである。
【００３３】
本例においても、時刻Ｔ０に字幕表示がＯＮにされ、時刻Ｔ２に字幕表示がＯＦＦにされている。つまり、字幕は時刻Ｔ０＜ｔ＜Ｔ２の期間中に表示されている。ただし、本例において表示される字幕は受信画像Ｉｖ（Ｔ０＜ｔ＜Ｔ２）に対する字幕画像Ｉｓ（Ｔ０＜ｔ＜Ｔ２）ではなく、字幕表示がＯＮにされる前の時刻−Ｔ１＜ｔ≦Ｔ０の受信画像Ｉｖ（−Ｔ１＜ｔ≦Ｔ０）に対応する字幕画像Ｉｓ（−Ｔ１＜ｔ≦Ｔ０）が表示される。このように字幕表示が必要と判断された時点より予定時間Ｔ１だけ遡って字幕表示することにより、視聴者が騒音のために聞き逃したシーンの字幕をみることができる。
【００３４】
図４に、上述の各時刻における騒音レベルＮＬと字幕表示のＯＮ／ＯＦＦの関係を示す。同図において、横軸は時刻ｔの経過を示し、縦軸は騒音レベルＮＬを示し、時間軸に平行な点線は騒音閾値Ｎｔｈを示し、折れ線は音声信号Ｓａｃの騒音レベルＮＬの経時的変化を示している。
【００３５】
次に、図５を参照して、上述の時刻Ｔ０＜ｔ＜Ｔ２におけるモニタ画像Ｉｖｓ（Ｔ０＜ｔ＜Ｔ２）を例に字幕画像Ｉｓの表示方法について説明する。本例においては、字幕画像Ｉｓはそれぞれ異なる３つの時刻（ｔ＜Ｔ０、ｔ＝Ｔ０、ｔ＝Ｔ２）における字幕画像Ｉｓ（ｔ＜Ｔ０）、Ｉｓ（ｔ＝Ｔ０）、およびＩｓ（ｔ＝Ｔ２）が一つの字幕画像Ｉｓとして表示される。このように異なる時刻の字幕画像を同時に表示することによって、視聴者は聞き逃したシーンの字幕と同時に、現在あるいは未来のシーンの字幕も見ることができるので視聴画像に対する理解が容易になる。
【００３６】
具体的には、字幕画像Ｉｓ（ｔ＜Ｔ０）は「ＡＡＡ」であり、字幕画像Ｉｓ（ｔ＝Ｔ０）は「ＢＢＢ」であり、字幕画像Ｉｓ（ｔ＝Ｔ２）は「ＣＣＣ」である。このように構成された字幕画像Ｉｓをさらにその一部である字幕画像Ｉｓ（ｔ＝Ｔ０）の表示方法を変化させた例が字幕画像Ｉｓ＿１とＩｓ＿２である。字幕画像Ｉｓ＿１においては、「ＢＢＢ」が拡大表示されている。字幕画像Ｉｓ＿２においては、「ＢＢＢ」が太字表示されている。これらの例以外に、文字の色や彩度やコントラストを変化させたり、フォントを変化させたり、さらに文字を点滅させるようにしてもよい。要するに、視聴者の注意を引くような任意な表示方法を採用できる。
【００３７】
次に、図６を参照して、上述の図３に示した例と同じ時刻Ｔ０以前から時刻Ｔ２以降におけるモニタ画像Ｉｖにメッセージ画像Ｉｍが重畳されて表示される例について説明する。同図において、モニタ画像Ｉｖｍ（Ｔ０＜ｔ＜Ｔ２）は、モニタ画像Ｉｖ（Ｔ０＜ｔ＜Ｔ２）にメッセージ画像Ｉｍ（Ｔ０＜ｔ＜Ｔ２）が重畳されている。同様に、モニタ画像Ｉｖｍ（ｔ≧Ｔ２）は、モニタ画像Ｉｖ（ｔ≧Ｔ２）にメッセージ画像Ｉｍ（ｔ≧Ｔ２）が重畳されている。
【００３８】
メッセージ画像Ｉｍ（Ｔ０＜ｔ＜Ｔ２）は、時刻Ｔ０に字幕表示機能のＯＮをユーザに伝えるアナウンス文である。同様に、メッセージ画像Ｉｍ（ｔ≧Ｔ２）は、時刻Ｔ２に字幕表示機能のＯＦＦをユーザに伝えるアナウンス文である。なお、字幕表示機能のＯＮ／ＯＦＦ以外のメッセージをアナウンスするようにしてもよい。
【００３９】
図７に示すフローチャートを参照して、デジタル放送受信装置１による字幕表示動作について説明する。デジタル放送受信装置１に電源が投入されて、デジタルテレビジョン放送Ｗｂの受信と音声信号Ｓａの生成とが開始されて入力部９による以下の制御が開始する。
【００４０】
ステップＳ２において、騒音レベルＮＬが騒音閾値Ｎｔｈ以上であるか否かが判断される。Ｙｅｓの場合、制御は次のステップＳ３に進む。
【００４１】
ステップＳ３において、字幕表示機能がＯＮに設定され、現時刻ｔが時刻Ｔ０として設定される。さらに、映像制御信号Ｓｃｖおよび字幕表示制御信号Ｓｃｓが生成されて、それぞれ映像切替部１０および字幕生成部１２に出力される。そして、制御は次のステップＳ４に進む。
【００４２】
ステップＳ４において、字幕表示制御信号Ｓｃｓに基づいて、現時刻Ｔ０より前の時刻（ｔ＜Ｔ０）の字幕画像Ｉｓ（ｔ＜Ｔ０）を表示するか否かが判断される。Ｙｅｓの場合、制御は次のステップＳ５に進む。
【００４３】
ステップＳ５において、現時刻Ｔ０より所定の時間Ｔ１以前の時刻（ｔ＝−Ｔ１）から現時点Ｔ０までの字幕情報Ｄｓ（−Ｔ１＜ｔ≦Ｔ０）が字幕情報記憶部１１から字幕生成部１２に読み出される。同字幕情報Ｄｓ（−Ｔ１＜ｔ≦Ｔ０）に基づいて、字幕映像信号Ｓｓ（−Ｔ１＜ｔ≦Ｔ０）が生成されて映像合成部１３に出力される。そして、制御は次のステップＳ７に進む。
【００４４】
一方、上述のステップＳ４においてＮｏ、つまり現時刻Ｔ０以降（ｔ≧Ｔ０）の字幕画像Ｉｓを表示すると判断される場合には、制御はステップＳ６に進む。
【００４５】
ステップＳ６において、現時刻Ｔ０以降の字幕情報Ｄｓ（ｔ≧Ｔ０）が字幕生成部１２によって生成される。同字幕情報Ｄｓ（ｔ≧Ｔ０）に基づいて、字幕映像信号Ｓｓ（ｔ≧Ｔ０）が生成されて映像合成部１３に出力される。そして、制御はステップＳ７に進む。
【００４６】
さらに、上述のステップＳ２においてＮｏ、つまりデジタル放送受信装置１の周囲の騒音レベルＮＬがユーザの設定した騒音閾値Ｎｔｈより低いと判断される場合には、制御はステップＳ８に進む。
【００４７】
ステップＳ８において、字幕表示機能がＯＦＦに設定され、現時刻ｔが時刻Ｔ２として設定される。さらに、映像制御信号Ｓｃｖおよび字幕表示制御信号Ｓｃｓが生成されて、それぞれ映像切替部１０および字幕生成部１２に出力される。そして、制御は次のステップＳ９に進む。
【００４８】
ステップＳ９において、字幕表示制御信号Ｓｃｓに基づいて、現時刻Ｔ２より所定時間だけ以降の時刻Ｔ３までの字幕画像Ｉｓ（Ｔ２＜ｔ≦Ｔ３）を表示するか否か判断される。Ｎｏと判断される場合、制御は上述のステップＳ２に戻る。一方、Ｙｅｓと判断される場合、制御はステップＳ１０に進む。
【００４９】
ステップＳ１０において、字幕情報Ｄｓ（Ｔ２＜ｔ≦Ｔ３）が字幕生成部１２によって生成される。同字幕情報Ｄｓ（Ｔ２＜ｔ≦Ｔ３）に基づいて、字幕映像信号Ｓｓ（Ｔ２＜ｔ≦Ｔ３）が生成されて映像合成部１３に出力される。そして、制御はステップＳ７に進む。
【００５０】
ステップＳ７においては、上述のステップＳ５、Ｓ６、およびＳ１０のそれぞれで出力された字幕映像信号Ｓｓ（−Ｔ１＜ｔ≦Ｔ０）、Ｓｓ（ｔ≧Ｔ０）、およびＳｓ（ｔ≧Ｔ３）に基づいて、字幕画像Ｉｓ（−Ｔ１＜ｔ≦Ｔ０）、Ｉｓ（ｔ≧Ｔ０）、およびＩｓ（ｔ≧Ｔ３）が表示される。字幕画像はそれぞれ、図２、図３、図５、および図６を参照して説明したように、字幕表示制御信号Ｓｃｓの指示に基づいて種々な様態で表示される。
【００５１】
上述のように、本発明にかかるデジタル放送受信装置は、周囲の騒音が大きかったり、逆に番組中の音声が小さかったり等の視聴困難な状況下での字幕を自動表示することによってユーザの視聴補助を行うことができる。視聴困難な状況や字幕の自動表示は騒音や番組音声という要因以外に自由に設定できる。
【産業上の利用可能性】
【００５２】
本発明は、テレビジョン受信機、ビデオ再生装置、およびセットトップボックスなどを含むデジタル放送受信装置に利用できる。
【図面の簡単な説明】
【００５３】
【図１】本発明の実施の形態にかかるデジタル放送受信装置の構成を示すブロック図
【図２】図１のデジタル放送受信装置による現在の字幕を表示の説明図
【図３】図１のデジタル放送受信装置による過去の字幕の表示の説明図
【図４】図１のデジタル放送受信装置による字幕表示機能ＯＮ／ＯＦＦの説明図
【図５】図１のデジタル放送受信装置により表示される字幕の説明図
【図６】図１のデジタル放送受信装置によるメッセージ表示の説明図
【図７】図１のデジタル放送受信装置による字幕表示動作を表すフローチャート
【符号の説明】
【００５４】
１    視聴補助付デジタル放送受信機
２    アンテナ部
３    マイク部
４    受信部
５    復調部
６    デコード部
７    騒音検知部
８    制御部
９    入力部
１０    映像切替部
１１    字幕記憶部
１２    字幕生成部
１３    映像合成部
１４    出力部
【図１】
2008252746.tif 000003
【図２】
2008252746.tif 000004
【図３】
2008252746.tif 000005
【図４】
2008252746.tif 000006
【図５】
2008252746.tif 000007
【図６】
2008252746.tif 000008
【図７】
2008252746.tif 000009